(57)【要約】【課題】外部音源から内部音源への切り替えに手間がかからない音声出力装置を提供する。【解決手段】音声出力装置は、音声信号に基づいて音声出力を行う音声出力部と、音声データを含み得るコンテンツデータを再生するコンテンツ再生部と、前記コンテンツ再生部がコンテンツデータを再生しているときは、前記コンテンツ再生部の出力信号を選択して前記音声出力部に供給し、前記コンテンツ再生部がコンテンツデータを再生していないときは、外部入力信号を選択して前記音声出力部に供給する選択部とを備える。【選択図】図２
2014064207.tif 000002
【特許請求の範囲】
【請求項１】
音声信号に基づいて音声出力を行う音声出力部と、
音声データを含み得るコンテンツデータを再生するコンテンツ再生部と、
前記コンテンツ再生部がコンテンツデータを再生しているときは、前記コンテンツ再生部の出力信号を選択して前記音声出力部に供給し、前記コンテンツ再生部がコンテンツデータを再生していないときは、外部入力信号を選択して前記音声出力部に供給する選択部とを備えることを特徴する音声出力装置。
【請求項２】
たとえ前記コンテンツ再生部がコンテンツデータを再生しているときであっても、前記コンテンツ再生部が再生しているコンテンツデータに音声データが含まれていない場合には、前記選択部が外部入力信号を選択して前記音声出力部に供給する請求項１に記載の音声出力装置。
【請求項３】
前記コンテンツ再生部に供給されるコンテンツデータを記憶するメモリを備える請求項１または請求項２に記載の音声出力装置。
【請求項４】
前記コンテンツ再生部に供給されるコンテンツデータを通信により外部から受け取る外部インターフェースを備える請求項１〜３のいずれか１項に記載の音声出力装置。
【発明の詳細な説明】
【技術分野】
【０００１】
本発明は、内部音源と外部音源とを切り替えることができる音声出力装置に関する。
【背景技術】
【０００２】
種々の音声出力装置は従来から開発されている。音声出力装置として、例えば、音声信号を増幅するアンプ及び当該アンプから出力される増幅音声信号に基づいて音声出力を行うスピーカを備えるスピーカ装置、音声出力のみならず映像出力も行うテレビジョン装置、電子楽器などを挙げることができる。
【０００３】
また、音声出力装置には、内部音源と外部音源とを切り替えることができるタイプのものがある（例えば特許文献１参照）。
【先行技術文献】
【特許文献】
【０００４】
【特許文献１】特開平６−８３３３８号公報
【特許文献２】特開２００１―３４６１０１号公報
【発明の概要】
【発明が解決しようとする課題】
【０００５】
特許文献１で開示されている電子楽器は、操作性の向上を図るために、音色選択スイッチの１回の操作により、内部音源と外部音源との切り替えを可能にしている。しかしながら、内部音源と外部音源との切り替えを手動で切り替えていることに変わりはない。
【０００６】
電子楽器の演奏において演奏者が自己の意思で内部音源と外部音源との切り替えを行う場合などには、特許文献１のような手動での切り替えが適しているが、例えば、スピーカ装置やテレビジョン装置などでは、手動での切り替えは手間がかかるので好ましくない。
【０００７】
例えば、音声出力装置において内部音源の出力があるときは外部音源よりも内部音源を優先して利用しようとする場合、内部音源の出力があるときに使用者が手動で内部音源に切り替える必要があり、非常に手間がかかる。
【０００８】
なお、特許文献２には自動で入力切り替えを行う入力切り替え装置が開示されているが、特許文献２で開示されている入力切り替え装置は入力信号の有無に基づいて入力切り替えを行っているので、外部音源の音声信号も内部音源の音声信号も存在するときには、外部音源から内部音源への切り替えを自動で行うことができない。
【０００９】
本発明は、上記の状況に鑑み、外部音源から内部音源への切り替えに手間がかからない音声出力装置を提供することを目的とする。
【課題を解決するための手段】
【００１０】
本発明に係る音声出力装置は、音声信号に基づいて音声出力を行う音声出力部と、音声データを含み得るコンテンツデータを再生するコンテンツ再生部と、前記コンテンツ再生部がコンテンツデータを再生しているときは、前記コンテンツ再生部の出力信号を選択して前記音声出力部に供給し、前記コンテンツ再生部がコンテンツデータを再生していないときは、外部入力信号を選択して前記音声出力部に供給する選択部とを備える構成とする。なお、前記選択部が前記コンテンツ再生部の出力信号を選択して前記音声出力部に供給する場合、前記コンテンツ再生部の出力信号の一部（映像音声信号の一部である音声信号）を選択して前記音声出力部に供給してもよい。
【００１１】
このような構成によると、前記コンテンツ再生部がコンテンツデータを再生しているとき、すなわち内部音源の出力があると想定されるときは、前記コンテンツ再生部の出力信号を選択して前記音声出力部に供給するので、自動的に内部音源に切り替わり、外部音源よりも内部音源が優先され、内部音源の出力に基づく音声出力が行われる。したがって、外部音源から内部音源への切り替えに手間がかからない。
【００１２】
また、上記構成の音声出力装置において、たとえ前記コンテンツ再生部がコンテンツデータを再生しているときであっても、前記コンテンツ再生部が再生しているコンテンツデータに音声データが含まれていない場合には、前記選択部が外部入力信号を選択して前記音声出力部に供給する構成にすることが好ましい。
【００１３】
このような構成によると、音声データが含まれていないコンテンツデータの再生と、外部音源の出力に基づく音声出力とを両立させた利用形態が可能となり、利便性が向上する。
【００１４】
また、上記いずれかの構成の音声出力装置において、前記コンテンツ再生部に供給されるコンテンツデータを記憶するメモリを備える構成にすることが好ましい。
【００１５】
このような構成によると、前記コンテンツ再生部が再生するコンテンツデータの豊富化が容易になる。
【００１６】
また、上記いずれかの構成の音声出力装置において、前記コンテンツ再生部に供給されるコンテンツデータを通信により外部から受け取る外部インターフェースを備える構成にすることが好ましい。
【００１７】
このような構成によると、前記コンテンツ再生部が再生するコンテンツデータの豊富化が容易になる。
【発明の効果】
【００１８】
本発明に係る音声出力装置によると、内部音源の出力があるときは自動的に内部音源に切り替わり、外部音源よりも内部音源が優先され、内部音源の出力に基づく音声出力が行われる。したがって、外部音源から内部音源への切り替えに手間がかからない。
【００１９】
本発明の意義ないし効果は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【図面の簡単な説明】
【００２０】
【図１】本発明の第１実施形態に係る音声出力装置の概略構成を示す図である。
【図２】本発明の第１及び第２実施形態に係る音声出力装置の一動作例を示すフローチャートである。
【図３】本発明の第１及び第２実施形態に係る音声出力装置の他の動作例を示すフローチャートである。
【図４】本発明の第２実施形態に係る音声出力装置の概略構成を示す図である。
【発明を実施するための形態】
【００２１】
本発明の実施形態について図面を参照して以下に説明する。
【００２２】
＜第１実施形態＞
図１は、本発明の第１実施形態に係る音声出力装置の概略構成を示す図である。本実施形態に係る音声出力装置は、チューナ１と、外部入力端子２と、光ディスク記録再生部３と、切替回路４と、信号処理回路５と、アンプ６と、スピーカ７と、表示部８と、ＣＰＵ（Central Processing Unit）９と、メモリ１０と、リモコン受光部１１と、本体操作部１２とを備えるテレビジョン装置１００である。
【００２３】
アンテナ２００は放送電波を受信し、受信信号をチューナ１に供給する。チューナ１は、ＣＰＵ９からのチャンネル選択信号に従って選局し、映像音声信号を出力する。外部入力端子２はビデオカメラ等の外部機器３００から供給される外部入力信号を入力する。なお、チューナ１から出力される映像音声信号は、テレビジョン装置１００の内部でコンテンツデータを再生することによって得られる信号ではなく、外部音源である放送電波から得られる信号であるので、チューナ１から出力される映像音声信号も外部入力信号である。
【００２４】
光ディスク記録再生部３は、光ディスクに記憶されているコンテンツデータを再生するコンテンツ再生部である。また、光ディスク記録再生部３はチューナ１又は外部入力端子２の出力信号を光ディスクにコンテンツデータとして記憶することもできる。
【００２５】
切替回路４は、チューナ１から出力される映像音声信号、外部入力端子２からの外部入力信号、光ディスク記録再生部３の出力信号のうちのいずれか一つを選択して信号処理回路５に送出する。また、切替回路４は、チューナ１から出力される映像音声信号又は外部入力端子２からの外部入力信号を光ディスク記録再生部３に送出することもできる。
【００２６】
信号処理回路５は、切替回路４から出力される信号に対して各種の信号処理を施して映像信号及び／又は音声信号を生成して出力する。信号処理回路５から出力される音声信号はアンプ６によって増幅され、スピーカ７によって音声に変換される。これにより、スピーカ７から音声が発せられる。表示部８は、信号処理回路５から出力される映像信号に応じた映像を表示画面に表示する。
【００２７】
ＣＰＵ９は、ユーザーによるキー操作を受け付ける本体操作部１２から出力される操作コマンドあるいはユーザーによるキー操作を受け付けるリモコン送信機４００から送信されるリモコン赤外線信号を受光するリモコン受光部１１から出力される操作コマンドに応じて、テレビジョン装置１００の各種制御を行う。メモリ１０は、ＣＰＵ９がテレビジョン装置１００の各種制御を行うために必要な各種プログラム及び各種データを不揮発的に記憶している。
【００２８】
図２は、本実施形態に係る音声出力装置の一動作例を示すフローチャートである。本実施形態に係る音声出力装置（テレビジョン装置１００）が電源オン状態になったときに、図２に示すフローチャート動作が開始される。
【００２９】
図２に示すフローチャート動作が開始されると、まず始めにＣＰＵ９は、光ディスク記録再生部３がコンテンツデータを再生しているか否かを判定する（ステップＳ１０）。
【００３０】
光ディスク記録再生部３がコンテンツデータを再生していれば（ステップＳ１０のＹＥＳ）、ＣＰＵ９の制御に従って、切替回路４は光ディスク記録再生部３の出力信号を選択して信号処理回路５に供給し（ステップ２０）、その後ステップＳ４０に移行する。
【００３１】
光ディスク記録再生部３がコンテンツデータを再生していなければ（ステップＳ１０のＮＯ）、ＣＰＵ９の制御に従って、切替回路４はチューナ１から出力される映像音声信号（外部入力信号）又は外部入力端子２からの外部入力信号を選択して信号処理回路５に供給し（ステップ３０）、その後ステップＳ４０に移行する。
【００３２】
ステップＳ４０において、スピーカ７はアンプ６から供給される音声信号（増幅音声信号）に基づいて音声出力を行い、その後ステップＳ１０に戻る。
【００３３】
このような構成によると、光ディスク記録再生部３がコンテンツデータを再生しているとき、すなわち内部音源の出力があると想定されるときは、切替回路４が光ディスク記録再生部３の出力信号を選択して信号処理回路５に供給するので、自動的に内部音源に切り替わり、外部音源よりも内部音源が優先され、スピーカ７において内部音源の出力に基づく音声出力が行われる。したがって、外部音源から内部音源への切り替えに手間がかからない。
【００３４】
ただし、光ディスク記録再生部３がコンテンツデータを再生しているときに必ず内部音源の出力があるわけではない。光ディスク記録再生部３が音声データを含まないコンテンツデータ（例えば静止画像データ）を再生している場合には、光ディスク記録再生部３がコンテンツデータを再生しているにもかかわらず内部音源の出力がない状態となる。
【００３５】
そこで、例えば図３に示すように、ステップ１０とステップＳ２０との間にステップＳ１５を設け、光ディスク記録再生部３がコンテンツデータを再生していれば（ステップＳ１０のＹＥＳ）、光ディスク記録再生部３によって再生されているコンテンツデータに音声データが含まれているか否かをＣＰＵ９が判定するようにし（ステップＳ１５）、光ディスク記録再生部３によって再生されているコンテンツデータに音声データが含まれていれば（ステップＳ１５のＹＥＳ）、ステップＳ２０へ進み、光ディスク記録再生部３によって再生されているコンテンツデータに音声データが含まれていなければ（ステップＳ１５のＮＯ）、ステップＳ３０へ進むようにすればよい。
【００３６】
図３に示すフローチャート動作によると、音声データが含まれていないコンテンツデータの再生と、外部音源の出力に基づく音声出力とを両立させた利用形態が可能となり、利便性が向上する。この場合、切替回路４を音声信号専用の切替回路と映像信号専用の切替回路とを設け、音声信号専用の切替回路の切り替えと映像信号専用の切替回路の切り替えとが独立して制御されるようにすればよい。
【００３７】
＜第２実施形態＞
図４は、本発明の第２実施形態に係る音声出力装置の概略構成を示す図である。本実施形態に係る音声出力装置は、外部入力端子２１と、Bluetooth（登録商標）通信部２２と、切替回路２３と、アンプ２４と、スピーカ２５と、ＣＰＵ２６と、メモリ２７と、リモコン受光部２８と、本体操作部２９とを備えるスピーカ装置５００である。
【００３８】
外部入力端子２１はテレビジョン装置等の外部機器（図４において不図示）から供給される外部入力信号を入力する。
【００３９】
Bluetooth（登録商標）通信部２２は、Bluetooth（登録商標）通信を行うソース機器（図４において不図示）から送信されるコンテンツデータを受信し、受信したコンテンツデータをＣＰＵ２６に送る。なお、Bluetooth（登録商標）通信部２２に代えてあるいはBluetooth（登録商標）通信部２２に加えて、例えばＷｉ-Ｆｉ（登録商標）通信部などの他の無線通信部や例えばＵＳＢ（Universal Serial Bus）通信部などの他の有線通信部を設け、それらの通信部によって外部からコンテンツデータを受け取るようにしてもよい。
【００４０】
切替回路２３は、外部入力端子２１からの外部入力信号、ＣＰＵ２６の出力信号のうちのいずれか一つを選択してアンプ２４に送出する。切替回路２３から出力される音声信号はアンプ２４によって増幅され、スピーカ２５によって音声に変換される。これにより、スピーカ２５から音声が発せられる。
【００４１】
ＣＰＵ２６は、ユーザーによるキー操作を受け付ける本体操作部２９から出力される操作コマンドあるいはユーザーによるキー操作を受け付けるリモコン送信機（図４において不図示）から送信されるリモコン赤外線信号を受光するリモコン受光部２８から出力される操作コマンドに応じて、スピーカ装置５００の各種制御を行う。メモリ２７は、ＣＰＵ２６がスピーカ装置５００の各種制御を行うために必要な各種プログラム及び各種データを不揮発的に記憶している。メモリ２７が不揮発的に記憶しているプログラムには、各種コンテンツデータ（音声データ、映像音声データ、画像データなど）を再生するためのコンテンツ再生アプリケーションプログラムが含まれている。
【００４２】
ＣＰＵ２６がコンテンツ再生アプリケーションプログラムを実行することで、ＣＰＵ２６はコンテンツ再生部として機能する。コンテンツ再生部として機能するＣＰＵ２６は、Bluetooth（登録商標）通信部２２から送られてくるコンテンツデータを再生して切替回路２３に出力する。
【００４３】
図２は、本実施形態に係る音声出力装置の一動作例も示している。本実施形態に係る音声出力装置（スピーカ装置５００）が電源オン状態になったときに、図２に示すフローチャート動作が開始される。
【００４４】
図２に示すフローチャート動作が開始されると、まず始めにＣＰＵ２６は、自己がコンテンツデータを再生しているか否かを判定する（ステップＳ１０）。
【００４５】
ＣＰＵ２６がコンテンツデータを再生していれば（ステップＳ１０のＹＥＳ）、ＣＰＵ２６の制御に従って、切替回路２３はＣＰＵ２６の出力信号を選択してアンプ２４に供給し（ステップ２０）、その後ステップＳ４０に移行する。
【００４６】
ＣＰＵ２６がコンテンツデータを再生していなければ（ステップＳ１０のＮＯ）、ＣＰＵ２６の制御に従って、切替回路２３は外部入力端子２１からの外部入力信号を選択してアンプ２４に供給し（ステップ３０）、その後ステップＳ４０に移行する。
【００４７】
ステップＳ４０において、スピーカ２５はアンプ２４から供給される音声信号（増幅音声信号）に基づいて音声出力を行い、その後ステップＳ１０に戻る。
【００４８】
このような構成によると、ＣＰＵ２６がコンテンツデータを再生しているとき、すなわち内部音源の出力があると想定されるときは、切替回路２３がＣＰＵ２６の出力信号を選択してアンプ２４に供給するので、自動的に内部音源に切り替わり、外部音源よりも内部音源が優先され、スピーカ２５において内部音源の出力に基づく音声出力が行われる。したがって、外部音源から内部音源への切り替えに手間がかからない。
【００４９】
ただし、ＣＰＵ２６がコンテンツデータを再生しているときに必ず内部音源の出力があるわけではない。ＣＰＵ２６が音声データを含まないコンテンツデータ（例えば静止画像データ）を再生している場合には、ＣＰＵ２６がコンテンツデータを再生しているにもかかわらず内部音源の出力がない状態となる。
【００５０】
そこで、例えば図３に示すように、ステップ１０とステップＳ２０との間にステップＳ１５を設け、ＣＰＵ２６がコンテンツデータを再生していれば（ステップＳ１０のＹＥＳ）、ＣＰＵ２６によって再生されているコンテンツデータに音声データが含まれているか否かをＣＰＵ２６が判定するようにし（ステップＳ１５）、ＣＰＵ２６によって再生されているコンテンツデータに音声データが含まれていれば（ステップＳ１５のＹＥＳ）、ステップＳ２０へ進み、ＣＰＵ２６によって再生されているコンテンツデータに音声データが含まれていなければ（ステップＳ１５のＮＯ）、ステップＳ３０へ進むようにすればよい。
【００５１】
図３に示すフローチャート動作によると、音声データが含まれていないコンテンツデータの再生と、外部音源の出力に基づく音声出力とを両立させた利用形態が可能となり、利便性が向上する。この場合、ＨＤＭＩ（High Definition Multimedia Interface）出力端子などの外部出力端子をスピーカ装置５００に設け、音声データが含まれていないコンテンツデータを外部出力端子から外部に出力するようにしてもよい。
【符号の説明】
【００５２】
１  チューナ
２、２１  外部入力端子
３  光ディスク記録再生部
４、２３  切替回路
５  信号処理回路
６、２４  アンプ
７、２５  スピーカ
８  表示部
９、２６  ＣＰＵ
１０、２７  メモリ
１１、２８  リモコン受光部
１２、２９  本体操作部
２２  Bluetooth（登録商標）通信部
１００  テレビジョン装置
２００  アンテナ
３００  外部機器
４００  リモコン送信機
５００  スピーカ装置
【図１】
2014064207.tif 000003
【図２】
2014064207.tif 000004
【図３】
2014064207.tif 000005
【図４】
2014064207.tif 000006